(57)【要約】【課題】前進する光ファイバ把持部材が制御部材と一体に係合する動作に際して、光ファイバ把持部材が制御部材に確実に係合する前に、制御部材がみだりに移動してしまうことを防止する。【解決手段】光ファイバ把持部材で把持した被覆付き光ファイバを被覆除去部に押し当ててその被覆を除去する被覆除去中に、前記押し当て力で被覆付き光ファイバが座屈しない程度の光ファイバ長さ方向の許容隙間ｍを確保することを制御するための制御部材２１を備える。この制御部材２１の側面に、制御部材の前進をロックするロック部材３５を設ける。光ファイバ把持部材１１は制御部材２１と係合する係合爪５０ａを先端に持つアーム５０を有する。光ファイバ把持部材のアーム５０の係合爪５０ａはロック部材３５に当たって制御部材に対するロックを解除した後に制御部材と係合する。光ファイバ把持部材が制御部材に確実に係合する前に、制御部材はみだりに移動しない。【選択図】図２２
2013015748.tif 000002
【特許請求の範囲】
【請求項１】
内蔵光ファイバを内蔵したフェルール部と、前記フェルール部の後部に取り付けられて、前記内蔵光ファイバと外部から挿入される被覆付光ファイバの被覆を除去した挿入光ファイバとを突き合わせ接続するメカニカルスプライス部と、前記被覆付き光ファイバの被覆を除去する被覆除去部と、メカニカルスプライス部の後方で被覆付光ファイバを直接又は光ケーブルの外被を介して把持する光ファイバ把持部材とを備え、
前記光ファイバ把持部材で把持した被覆付き光ファイバを前記被覆除去部に押し当ててその被覆を除去する被覆除去中に、前記押し当て力で被覆付き光ファイバが座屈しない程度の光ファイバ長さ方向の許容隙間ｍを確保することを制御するための制御部材を備え、
前記制御部材に、制御部材の前進をロックするロック部材を備え、
前記光ファイバ把持部材は、前記制御部材と係合する係合爪を先端に持つアームを備えるとともに、このアームは光ファイバ把持部材が前進する際にその先端の係合爪が前記ロック部材に当たって、ロック部材の制御部材に対するロックを解除するようにされていることを特徴とするメカニカルスプライス型の現場組立光コネクタ。
【請求項２】
内蔵光ファイバを内蔵したフェルール部と、前記フェルール部の後部に取り付けられて、前記内蔵光ファイバと外部から挿入される被覆付光ファイバの被覆を除去した挿入光ファイバとを突き合わせ接続するメカニカルスプライス部と、前記被覆付き光ファイバの被覆を除去する被覆除去部と、メカニカルスプライス部の後方で被覆付光ファイバを直接又は光ケーブルの外被を介して把持する光ファイバ把持部材とを備え、
前記光ファイバ把持部材で把持した被覆付き光ファイバを前記被覆除去部に押し当ててその被覆を除去する被覆除去中に、前記押し当て力で被覆付き光ファイバが座屈しない程度の光ファイバ長さ方向の許容隙間ｍを確保することを制御するための制御部材を備え、
前記メカニカルスプライス部をバネで前方に付勢する態様で収容し、かつ、前記制御部材を摺動可能に収容するストップリングを備え、
前記制御部材は、その後部が前記ストップリングの後部の両側壁間に配置され、
前記光ファイバ把持部材は、前記制御部材の側面に形成した被係合部と係合可能な係合爪を先端に有して前方に延出するアームを有し、
光ファイバ把持部材と制御部材とは、光ファイバ把持部材が前進して前記アームの係合爪と制御部材の被係合部とが係合した時に、光ファイバ把持部材と制御部材とが一体に前進するように設定されており、
前記制御部材の側面側に、ストップリングの前記側壁の内面に形成した係止部に係止されるストッパ爪を先端に持つロックレバーの基端部が取り付けられており、
光ファイバ把持部材が前進してそのアームの先端が前記ロックレバーに当たった時に、前記ロックレバーのストッパ爪がストップリングの前記係止部から外れて、制御部材の前進が可能となる構造であることを特徴とするメカニカルスプライス型の現場組立光コネクタ。
【請求項３】
内蔵光ファイバを内蔵したフェルール部と、前記フェルール部の後部に取り付けられて、前記内蔵光ファイバと外部から挿入される被覆付光ファイバの被覆を除去した挿入光ファイバとを突き合わせ接続するメカニカルスプライス部と、前記被覆付き光ファイバの被覆を除去する被覆除去部と、メカニカルスプライス部の後方で被覆付光ファイバを直接又は光ケーブルの外被を介して把持する光ファイバ把持部材とを備え、
前記メカニカルスプライス部で被覆付光ファイバを把持した状態において被覆付光ファイバが拘束されていない空間であって、前記被覆除去部に被覆付き光ファイバを押し当ててその被覆を除去する被覆除去中に、前記押し当て力で被覆付き光ファイバが座屈しない程度の光ファイバ長さ方向の許容隙間ｍを確保する被覆付光ファイバ保持構造を備え、
前記被覆付光ファイバ保持構造は、前記許容隙間を形成する態様でメカニカルスプライス部の一部として設けられファイバ半径方向に移動可能な開放ガイドと、前記光ファイバ把持部材で前方に押されることで前記開放ガイドを設定されたタイミングで前方に押して前進させることが可能な制御部材である可動ガイドを備え、
前記メカニカルスプライス部をバネで前方に付勢する態様で収容し、かつ、前記制御部材を摺動可能に収容するストップリングを備え、
前記制御部材は、その後部が前記ストップリングの後部の両側壁間に配置され、
前記光ファイバ把持部材は、前記制御部材の側面に形成した被係合部と係合可能な係合爪を先端に有して前方に延出するアームを有し、
光ファイバ把持部材と制御部材とは、光ファイバ把持部材が前進して前記アームの係合爪と制御部材の被係合部とが係合した時に、光ファイバ把持部材と可動ガイドとが一体に前進するように設定されており、
前記制御部材の側面側に、ストップリングの前記側壁の内面に形成した係止部に係止されるストッパ爪を先端に持つロックレバーの基端部が取り付けられており、
光ファイバ把持部材が前進してそのアームの先端が前記ロックレバーに当たった時に、前記ロックレバーのストッパ爪がストップリングの前記係止部から外れて、可動ガイドの前進が可能となる構造であることを特徴とするメカニカルスプライス型の現場組立光コネクタ。
【発明の詳細な説明】
【技術分野】
【０００１】
この発明は、内蔵光ファイバを内蔵するフェルール部の後部にメカニカルスプライス部を一体に備えるとともに、被覆付光ファイバを直接又は光ケーブルの外被を介して把持する光ファイバ把持部材を備えたメカニカルスプライス型の現場組立光コネクタに関し、特に、被覆付き光ファイバの被覆を剥がす作用をする被覆除去部を内部に備えて被覆付き光ファイバ押込みによる突合せ接続が可能なメカニカルスプライス型の現場組立光コネクタに関する。
【背景技術】
【０００２】
内蔵光ファイバ（裸ファイバ）を内蔵するフェルール部の後部にメカニカルスプライス部を一体に備えるとともに、光ケーブルの外被を把持する外被把持部材を備えたメカニカルスプライス型の現場組立光コネクタは、光ケーブルの外被を直接把持して組み立てることができるので、光コネクタを光ファイバに現場で取り付けることが可能な現場組立光コネクタとして、施工性その他の点で良好である。
【０００３】
ところで、予め被覆付き光ファイバの被覆を剥がして裸ファイバを露出させることなく、光コネクタに被覆付き光ファイバのまま押し込んで対向光ファイバ（内蔵光ファイバ）と突き合わせ接続する技術が報告されている（非特許文献１）。この報告では、裸ファイバ径が０．１２５ｍｍ、被覆部外径が０．２５ｍｍの被覆付き光ファイバを対象としている。
この被覆付き光ファイバ押込みによる突合せ接続は、突合せ部の接続モデルとしては、円錐体の軸芯部に内径１２６ｍｍの孔（調心部）をあけた被覆除去部材を用い、この円錐体状の被覆除去部材の孔先端部（挿入端）に、被覆付き光ファイバの被覆除去に必要な力以上の力で押し当てて、被覆付き光ファイバの被覆を剥がすというものである。
この細い被覆付き光ファイバを被覆除去部材の孔先端部に押し当てて、薄い被覆を裸ファイバを傷つけずに剥がすにためには、被覆付き光ファイバを極めて高い精度で孔先端部に押し当てる必要があり、したがって、被覆付き光ファイバを高い精度で孔先端部まで案内する必要がある。
【０００４】
細い被覆付き光ファイバを被覆除去部材の孔先端部に押し当ててその被覆を剥がすという、上記のような被覆付き光ファイバ押込みによる被覆除去技術を、実際の現場組立光コネクタにおいて実現するには、多くの部分について、具体的な構造を考案する必要がある。
例えば、特許文献１の光コネクタは、内蔵光ファイバを有する突合せ接続方式の光コネクタでなく、光コネクタに挿入した被覆付光ファイバの被覆を除去した裸ファイバをフェルール部の光ファイバ孔に挿入して、その先端を直接接続端面とするものであるが、この光コネクタは、フェルール部に被覆除去部を設けている。
すなわち、フェルール部に設けた光ファイバ保持孔３７を、被覆付き光ファイバの外径と略同一内径の第１孔部５３と、裸光ファイバの外径と略同一内径の第２孔部５５と、第１孔部５３と第２孔部５５との間に設けた被覆受け部５７とを備えた構成として、被覆付き光ファイバ１９を被覆付きのまま装着可能にする、というものである。
【先行技術文献】
【特許文献】
【０００５】
【特許文献１】特開２００９−１２８４２２
【非特許文献】
【０００６】
【非特許文献１】２００９年電子情報通信学会ソサイエティ大会の通信講演論文集２「被覆付き光ファイバ心線の突合せ接続に関する考察」（Ｂ−１３−８）。
【発明の概要】
【発明が解決しようとする課題】
【０００７】
上記の通り、光コネクタ内に被覆除去部を設けたものとして、フェルール部に被覆除去部を設けたもの（特許文献１）があるが、裸ファイバ径が０．１２５ｍｍ、被覆付き光ファイバの被覆部外径が０．２５ｍｍという細い被覆付き光ファイバにおける薄い被覆を、細いフェルール部の内部で裸ファイバを傷つけずにかつきれいに剥がすことは簡単なことではないので、フェルール部内に被覆除去部を設ける構造を実用化するには、種々困難な面があると思われる。
【０００８】
ところで、前述の外被把持部材を備えたメカニカルスプライス部一体型光コネクタは、現場組立光コネクタとして優れた特徴を持つが、この外被把持部材を備えたメカニカルスプライス部一体型光コネクタの内部に被覆除去部を備えた構造とすれば、現場組立光コネクタとして一層優れたものとなる。
また、被覆付光ファイバを光ケーブルの外被を介して把持する光ファイバ把持部材（外被把持部材）でなく、被覆付光ファイバを直接把持する光ファイバ把持部材（被覆付光ファイバ把持部材）を備えたメカニカルスプライス部一体型光コネクタの場合でも、同様のことが言える。
しかし、前記の通り、裸ファイバ径が０．１２５ｍｍ、被覆付き光ファイバの被覆部外径が０．２５ｍｍという細い被覆付き光ファイバにおける薄い被覆を、裸ファイバを傷つけずにかつきれいに剥がすことは簡単なことではないので、光ファイバ把持部材を備えたメカニカルスプライス部一体型光コネクタにおいて内部に被覆除去部を備えた構成とするには種々の点で具体的な構造を考案することが必要となる。
【０００９】
例えば、光コネクタに被覆除去部を内蔵させる場合、被覆除去部に被覆付き光ファイバを押し当ててその被覆を除去する被覆除去中に、押し当て力で被覆付き光ファイバが座屈してしまうと被覆除去を行うことができなくなるので、被覆付光ファイバが拘束されていない隙間（光ファイバ長さ方向の隙間）は、被覆付光ファイバが押し当て力で座屈しない程度の隙間ｍ（狭い隙間）である必要がある。
光ファイバ把持部材を備えたメカニカルスプライス部一体型光コネクタにおいて内部に被覆除去部を備えた構成とする場合には、その光コネクタ構造に適した構造で、前記座屈を生じさせない許容隙間ｍ以上の隙間が生じないようにする必要がある。
その場合、光ファイバ把持部材を前進させた時に光ファイバ把持部材で押されて前進を開始する制御部材を設けて、この制御部材の前進により前記許容隙間を確保するための制御を行う構造とすることが考えられる。そのためには、制御部材が光ファイバ把持部材により適切なタイミングで前進を開始する必要があり、かつ、光ファイバ把持部材と制御部材とが一体に動くように互いに係合する必要がある。その場合、前進する光ファイバ把持部材が制御部材と一体に係合する動作に際して、光ファイバ把持部材が制御部材と確実に係合する前に、すなわち、本来の（設計通りの）係合状態で係合する前に制御部材が無用に移動してしまうことを防止する必要がある。
【００１０】
本発明は上記事情のもとになされたもので、前進する光ファイバ把持部材が制御部材と一体に係合する動作に際して、光ファイバ把持部材が制御部材に確実に係合する前に、制御部材がみだりに移動してしまうことを防止できる構造を備えたメカニカルスプライス型の現場組立光コネクタを提供することを目的とする。
【課題を解決するための手段】
【００１１】
上記課題を解決する請求項１の発明のメカニカルスプライス型の現場組立光コネクタは  、内蔵光ファイバを内蔵したフェルール部と、前記フェルール部の後部に取り付けられて、前記内蔵光ファイバと外部から挿入される被覆付光ファイバの被覆を除去した挿入光ファイバとを突き合わせ接続するメカニカルスプライス部と、前記被覆付き光ファイバの被覆を除去する被覆除去部と、メカニカルスプライス部の後方で被覆付光ファイバを直接又は光ケーブルの外被を介して把持する光ファイバ把持部材とを備え、
前記光ファイバ把持部材で把持した被覆付き光ファイバを前記被覆除去部に押し当ててその被覆を除去する被覆除去中に、前記押し当て力で被覆付き光ファイバが座屈しない程度の光ファイバ長さ方向の許容隙間ｍを確保することを制御するための制御部材を備え、
前記制御部材に、制御部材の前進をロックするロック部材を備え、
前記光ファイバ把持部材は、前記制御部材と係合する係合爪を先端に持つアームを備えるとともに、このアームは光ファイバ把持部材が前進する際にその先端の係合爪が前記ロック部材に当たって、ロック部材の制御部材に対するロックを解除するようにされていることを特徴とする。
【００１２】
請求項２の発明のメカニカルスプライス型の現場組立光コネクタは、内蔵光ファイバを内蔵したフェルール部と、前記フェルール部の後部に取り付けられて、前記内蔵光ファイバと外部から挿入される被覆付光ファイバの被覆を除去した挿入光ファイバとを突き合わせ接続するメカニカルスプライス部と、前記被覆付き光ファイバの被覆を除去する被覆除去部と、メカニカルスプライス部の後方で被覆付光ファイバを直接又は光ケーブルの外被を介して把持する光ファイバ把持部材とを備え、
前記光ファイバ把持部材で把持した被覆付き光ファイバを前記被覆除去部に押し当ててその被覆を除去する被覆除去中に、前記押し当て力で被覆付き光ファイバが座屈しない程度の光ファイバ長さ方向の許容隙間ｍを確保することを制御するための制御部材を備え、
前記メカニカルスプライス部をバネで前方に付勢する態様で収容し、かつ、前記制御部材を摺動可能に収容するストップリングを備え、
前記制御部材は、その後部が前記ストップリングの後部の両側壁間に配置され、
前記光ファイバ把持部材は、前記制御部材の側面に形成した被係合部と係合可能な係合爪を先端に有して前方に延出するアームを有し、
光ファイバ把持部材と制御部材とは、光ファイバ把持部材が前進して前記アームの係合爪と制御部材の被係合部とが係合した時に、光ファイバ把持部材と制御部材とが一体に前進するように設定されており、
前記制御部材の側面側に、ストップリングの前記側壁の内面に形成した係止部に係止されるストッパ爪を先端に持つロックレバーの基端部が取り付けられており、
光ファイバ把持部材が前進してそのアームの先端が前記ロックレバーに当たった時に、前記ロックレバーのストッパ爪がストップリングの前記係止部から外れて、制御部材の前進が可能となる構造であることを特徴とする。
【００１３】
請求項３の発明のメカニカルスプライス型の現場組立光コネクタは、内蔵光ファイバを内蔵したフェルール部と、前記フェルール部の後部に取り付けられて、前記内蔵光ファイバと外部から挿入される被覆付光ファイバの被覆を除去した挿入光ファイバとを突き合わせ接続するメカニカルスプライス部と、前記被覆付き光ファイバの被覆を除去する被覆除去部と、メカニカルスプライス部の後方で被覆付光ファイバを直接又は光ケーブルの外被を介して把持する光ファイバ把持部材とを備え、
前記メカニカルスプライス部で被覆付光ファイバを把持した状態において被覆付光ファイバが拘束されていない空間であって、前記被覆除去部に被覆付き光ファイバを押し当ててその被覆を除去する被覆除去中に、前記押し当て力で被覆付き光ファイバが座屈しない程度の光ファイバ長さ方向の許容隙間ｍを確保する被覆付光ファイバ保持構造を備え、
前記被覆付光ファイバ保持構造は、前記許容隙間を形成する態様でメカニカルスプライス部の一部として設けられファイバ半径方向に移動可能な開放ガイドと、前記光ファイバ把持部材で前方に押されることで前記開放ガイドを設定されたタイミングで前方に押して前進させることが可能な制御部材である可動ガイドを備え、
前記メカニカルスプライス部をバネで前方に付勢する態様で収容し、かつ、前記制御部材を摺動可能に収容するストップリングを備え、
前記制御部材は、その後部が前記ストップリングの後部の両側壁間に配置され、
前記光ファイバ把持部材は、前記制御部材の側面に形成した被係合部と係合可能な係合爪を先端に有して前方に延出するアームを有し、
光ファイバ把持部材と制御部材とは、光ファイバ把持部材が前進して前記アームの係合爪と制御部材の被係合部とが係合した時に、光ファイバ把持部材と可動ガイドとが一体に前進するように設定されており、
前記制御部材の側面側に、ストップリングの前記側壁の内面に形成した係止部に係止されるストッパ爪を先端に持つロックレバーの基端部が取り付けられており、
光ファイバ把持部材が前進してそのアームの先端が前記ロックレバーに当たった時に、前記ロックレバーのストッパ爪がストップリングの前記係止部から外れて、可動ガイドの前進が可能となる構造であることを特徴とする。
【発明の効果】
【００１４】
本発明のメカニカルスプライス型の現場組立光コネクタによれば、光ファイバ把持部材を前進させてそのアームの先端の係合爪を制御部材に係合させようとする際に、アームの先端が制御部材の前端部に当たって制御部材を押す力が作用しても、ロック部材が制御部材をロックしているので、制御部材は前進しない。光ファイバ把持部材がさらに前進してそのアームがロック部材に当たると、アームがロック部材の制御部材に対するロックを解除し、直後にアーム先端の係合爪が制御部材と係合して、その後は光ファイバ把持部材と制御部材とが一体に前進する。
したがって、光ファイバ把持部材が制御部材と確実に係合する前に、すなわち、本来の（設計通りの）係合状態で係合する前に制御部材が無用に移動してしまうことは防止される。光ファイバ把持部材のアームがロック部材に当たってロックを解除する時点を制御部材が前進を開始する適切なタイミングと設定することで、制御部材は本来の機能を果たすことができる。すなわち、被覆除去部に被覆付き光ファイバを押し当ててその被覆を除去する被覆除去中に、押し当て力で被覆付き光ファイバが座屈しない程度の隙間ｍ（狭い隙間）を確保することを制御する機能を適切に果たすことができる。
【図面の簡単な説明】
【００１５】
【図１】本発明のメカニカルスプライス型の現場組立光コネクタの一実施例の斜視図であり、光コネクタを光ケーブルの被覆付き光ファイバに押込み補助治具及びクサビ部材を用いて取り付ける状況を示す図である。
【図２】図１において、押込み補助治具及びクサビ部材を除いて示した斜視図である。
【図３】（ａ）は図２の平面図、（ｂ）は同正面図、（ｃ）は同底面図である。
【図４】上記光コネクタの縦断面を一部を省略しかつ簡略化して示した図である。
【図５】上記光コネクタにおけるプラグフレームの斜視図である。
【図６】図５のプラグフレームの詳細を示すもので、（ａ）は平面図、（ｂ）は正面図、（ｃ）は（ｂ）のＡ−Ａ断面図、（ｄ）は（ａ）のＢ−Ｂ断面図、（ｅ）は（ａ）のＢ’−Ｂ’断面図である。
【図７】上記光コネクタにおけるストップリングの斜視図である。
【図８】図７のストップリングの詳細を示すもので、（ａ）は平面図、（ｂ）は正面図、（ｃ）は底面図、（ｄ）は（ａ）のＣ−Ｃ断面図、（ｅ）は（ｂ）のＤ−Ｄ断面図、（ｆ）は（ｂ）の左側面図、（ｇ）は（ｂ）の右側面図である。
【図９】上記光コネクタにおける可動ガイド（制御部材）の斜視図である。
【図１０】図９の可動ガイドの詳細を示すもので、（ａ）は正面図、（ｂ）は平面図、（ｃ）は底面図、（ｄ）は（ａ）の左側面図、（ｅ）は（ａ）の右側面図である。
【図１１】図１０（ｂ）のＥ−Ｅ断面図である。
【図１２】上記光コネクタの内部の部材であるメカニカルスプライス部のベース部の詳細を示すもので、（ａ）はベース部の正面図、（ｂ）は同平面図、（ｃ）は（ａ）のＦ−Ｆ断面図、（ｄ）は（ｂ）の右側面図、（ｅ）は（ａ）のＧ−Ｇ断面図である。
【図１３】図１２のベース部に取り付けられる開放ガイドを示すもので、（ａ）は底面図（図１２（ｃ）に対応する図）、（ｂ）は（ａ）を下から見た図、（ｄ）は（ａ）の２倍に拡大した左側面図である。
【図１４】図１２（ａ）のベース部にフェルールを固定したものに蓋、可動ガイド、被覆除去部材を装着した状態をクサビ部材とともに示す図である。
【図１５】（ａ）は図１２（ｄ）を拡大した図、（ｂ）は図１４の右側面図である。
【図１６】図１４における被覆除去部材を拡大して示したもので、（ａ）は斜視図、（ｂ）は、被覆付き光ファイバの被覆を除去する状況を併せて示した平面図である。
【図１７】図１〜図３における外被把持部材を蓋体を開いた状態で示した斜視図である。
【図１８】図１７の外被把持部材の詳細を示すもので、（ａ）は平面図、（ｂ）は正面図、（ｃ）は左側面図、（ｄ）は右側面図、（ｅ）は（ｃ）で蓋を閉じた状態を示した図である。
【図１９】（ａ）は図１０に示した可動ガイドの、ロックレバー（ロック部材）を除いて示した要部の背面図、（ｂ）は（ａ）にロックレバーを装着した状態で示した図、（ｃ）はロックレバーの拡大した斜視図、（ｄ）はロックレバーの平面図である。
【図２０】上記のメカニカルスプライス型の現場組立光コネクタの組立作業において、外被把持部材で光ケーブルの外被部分を把持して被覆付光ファイバを光コネクタ本体内に挿入する際に、外被把持部材を光コネクタ本体側の可動ガイドに装着する状況を説明する図であり、（ａ）は外被把持部材が光コネクタ本体から離れている状態、（ｂ）は外被把持部材のアームの先端が可動ガイドの前端面の位置に達した状態、（ｃ）は外被把持部材のアーム先端の係合爪が可動ガイドの被係合部に係合して外被把持部材と可動ガイドが一体に移動可能になった状態を示す。
【図２１】図２０（ｃ）を拡大した図である。
【図２２】外被把持部材を前進させた際の外被把持部材の可動ガイドに対する動きを説明する図であり、（ａ）は外被把持部材のアームの先端（係合爪の先端）が可動ガイドの前端面に達した時点の状態を示す図、（ｂ）はアームの係合爪の先端がロックレバーに接触した時点の状態を示す図、アームの係合爪が可動ガイドの被係合部に係合して外被把持部材と可動ガイドとが一体化した状態を示す図である。
【発明を実施するための形態】
【００１６】
以下、本発明を実施したメカニカルスプライス型の現場組立光コネクタについて、図面を参照して説明する。
【実施例１】
【００１７】
図１は本発明の一実施例のメカニカルスプライス型の現場組立光コネクタ１の斜視図であり、メカニカルスプライス型の現場組立光コネクタ１を光ケーブル４の被覆付き光ファイバ５に押込み補助治具１４及びクサビ部材１５を用いて取り付ける状況を示す図である。図２は図１において、押込み補助治具１４及びクサビ部材１５を除いて示した斜視図、図３（ａ）は図２の平面図、（ｂ）は同正面図、（ｃ）は同底面図である。図４は上記メカニカルスプライス型の現場組立光コネクタ１の内部構造の概略を示す縦断面図であり、一部を省略しかつ簡略化して示している。
【００１８】
このメカニカルスプライス型の現場組立光コネクタ（以下、略して単に光コネクタともいう）１は、内蔵光ファイバ（裸ファイバ）２を内蔵したフェルール部３と、前記フェルール部３の後部に一体に取り付けられて、前記内蔵光ファイバ２と外部から挿入される光ケーブル４の外被４ａを除去した被覆付き光ファイバ５の被覆５ａを除去された挿入光ファイバ（図１６に符号６で示す）とを突き合わせ接続するメカニカルスプライス部７と、前記フェルール部３とメカニカルスプライス部７とが一体化されたメカニカルスプライス部一体化フェルール部８をその前進限を規定して前後に摺動可能に収容するプラグフレーム９と、前記プラグフレーム９に固定されるとともに前記メカニカルスプライス部７をＣ形板バネ２６を介して前方に弾性的に付勢するストップリング１０と、コネクタ後端部で、被覆付光ファイバ５を光ケーブル４の外被４ａを介して把持する光ファイバ把持部材（以下、主として「外被把持部材」と呼ぶ）１１とを備えている。
【００１９】
図５は前記プラグフレーム９の斜視図、図６（ａ）はプラグフレーム９の平面図、（ｂ）は正面図、（ｃ）は（ｂ）のＡ−Ａ断面図、（ｄ）は（ａ）のＢ−Ｂ断面図、（ｅ）は（ａ）のＢ’−Ｂ’断面図である。
プラグフレーム９は、前記の通りメカニカルスプライス部一体化フェルール部８をその前進限を規定して前後に摺動可能に収容するもので、メカニカルスプライス部一体化フェルール部８の鍔部８ａを摺動可能に嵌合させる円筒内面９ａを持ち、その先端の段差部９ｂによって前進限を規定する。また、ストップリング１０の前方側の円筒部分１０ａを嵌入させる円筒内面９ｃを有する。９ｄはカバー１３の側面にあけた穴部に係合してカバー１３を係止する係止部分、９ｅはストップリング１０の係合突起１０ｂに係合してストップリング１０を係止する係止部である。９ｆはクサビ部材１５の差込片１５ａを通過させる孔である。
カバー１３は、プラグフレーム９の部分に装着されており、光コネクタ接続の際に挿入するアダプタ内面形状に合せた外形を有するが、コネクタの種類によってカバーの形状及びプラグフレームの形状が変わる。
【００２０】
図７は前記光コネクタにおけるストップリング１０の斜視図、図８（ａ）はストップリング１０の平面図、（ｂ）は正面図、（ｃ）は底面図、（ｄ）は（ａ）のＣ−Ｃ断面図、（ｅ）は（ｂ）のＤ−Ｄ断面図、（ｆ）は（ｂ）の左側面図、（ｇ）は（ｂ）の右側面図である。
ストップリング１０は、前記の通り、その円筒部分１０ａがプラグフレーム９内に嵌合し係合突起１０ｂで係止されるとともに、メカニカルスプライス部７をコイルバネ２７を介して前方に弾性的に付勢する。円筒部分１０ａと反対側の後端側に、後述の可動ガイド（制御部材）２１の被覆付光ファイバ誘導部２４を収容するコ字形枠部１０ｃで囲まれた空間１０ｃ’を持つ。コ字形枠部１０ｃの両側壁１０ｄの内面に可動ガイド２１を案内する溝１０ｅを持つ。１０ｆはクサビ部材１５の差込片１５ａを通過させる孔である。
ストップリング１０の上部には、外被把持部材１１が脱落しないように拘束するレバー１２がヒンジ軸１２ａにより回転可能に取り付けられている。
【００２１】
ストップリング１０内には、図９〜図１１に示す可動ガイド２１の円筒部分２２が挿入されている。図９は可動ガイド２１の斜視図、図１０（ａ）は可動ガイドの正面図、（ｂ）は平面図、（ｃ）は底面図、（ｄ）は（ａ）の左側面図、（ｅ）は（ａ）の右側面図である。図１１は図１０（ｂ）のＥ−Ｅ断面図である。
可動ガイド２１は、詳細は後述するが、図１４、図１６に示した被覆除去部材２０に被覆付き光ファイバ５を押し当ててその被覆５ａを除去する被覆除去中に、前記押し当て力で被覆付き光ファイバ５が座屈しない程度の光ファイバ長さ方向の許容隙間ｍを確保するための被覆付光ファイバ保持構造の一部をなす部材であって、前記押し当て力で被覆付き光ファイバ５が座屈しない程度の光ファイバ長さ方向の許容隙間ｍを確保することを制御するための制御部材である。
前記許容隙間ｍは２．１ｍｍ程度とされている。
前記許容隙間ｍを確保するための被覆付光ファイバ保持構造としては、この可動ガイド（制御部材）２１と後述の開放ガイド３１とが中心的な部材であるが、メカニカルスプライス部のベース部３０の特に斜め凸条３０ｅや外被把持部材１１などもその作動に関与する。
この可動ガイド２１は、円筒外周面を持つ筒状部２２を備えて、この筒状部２２が前記メカニカルスプライス部７に被せられるとともに、筒状部２２の円筒外周面がストップリング１０内に摺動可能に嵌装されており、メカニカルスプライス部７に対して前後方向に移動可能である。
この可動ガイド２１は、前記筒状部２２の後端に、被覆付光ファイバ５を導入する概略角形の被覆付光ファイバ誘導部２４を一体に備えている。この被覆付光ファイバ誘導部２４は、図１１にも示すように、円錐面状の案内面２４ａの先端に被覆付光ファイバ径より僅かに大きな内径の被覆付光ファイバ挿通孔２４ｂを備えている。
前記筒状部２２の筒状中空部２３は被覆付光ファイバ誘導部２４の内部まで延出しており、被覆付光ファイバ誘導部２４の突き当り部に垂直内壁２４ｃを有する。この垂直内壁２４ｃが後述するように、開放ガイド３１の後端面を押す。外被把持部材１１で押されて前進する可動ガイド２１はその垂直内壁２４ｃがメカニカルスプライス部７の後端面に当たって止まる。この時点では、メカニカルスプライス部７のベース部３０の設けた突起３０ｆが、可動ガイド２１に設けた係止孔２２ｂに入り込んでいるので、可動ガイド２１はその位置から後退しない。
なお、被覆付光ファイバ誘導部２４の円錐状の案内面２４ａ及び被覆付光ファイバ挿通孔２４ｂは、その一部を可動片２５の案内面２５ａ及び部分孔面２５ｂが形成している。この可動片２５は、可動ガイド２１に向かって前進させた外被把持部材１１の後述するツメ部２９がこの可動片５に当たった時に下降する。可動片２５が下降すると、その案内面２５ａが被覆付光ファイバ挿通孔２４ｂの部分から離れることで半径方向外方に拡がった案内面２５ａとなり、したがって、外被把持部材１１の後述する円錐体部６０の円錐面が可動ガイド２１の被覆付光ファイバ誘導部２４の円錐状案内面２４ａに合わさった際に、外被把持部材１１の位置決め溝６７ａから出てきた被覆付光ファイバ５と被覆付光ファイバ誘導部２４の光ファイバ挿通孔２４ｂとにズレがあったときに、案内面２４ａ、２５ａに突き当たって曲がる被覆付光ファイバ５に生じる曲げＲを大きくする作用をするので、被覆付光ファイバ５に無理な曲げが生じるのを防ぐことができる。
図９ではこの可動片２５を外した状態で示している。
なお、被覆付光ファイバ誘導部２４の側面には、外被把持部材１１の後述するアーム５０が通過する溝２４ｄが形成されている。２２ａはクサビ部材１５の差込片１５ａを通過させる孔である。なお、その他の孔（開口）もある。
なお、図１０に示したロックレバー（ロック部材）３５は、詳細は後述するが、可動ガイド２１を位置決めされた所定の位置にセットしておき、光ケーブル４の外被を把持した外被把持部材１１を前進させて被覆付光ファイバ５を前進させる際に、外被把持部材１１が適切なタイミングで可動ガイド２１を前方に移動させるように、その適切なタイミングまで可動ガイド２１の前進を拘束するためのロック機能を持つ。
【００２２】
図１２は上記光コネクタ１におけるメカニカルスプライス部７の詳細を示すもので、（ａ）はメカニカルスプライス部７のベース部３０の正面図、（ｂ）は同平面図、（ｃ）は（ａ）のＦ−Ｆ断面図、（ｄ）は（ｂ）の右側面図、（ｅ）は（ａ）のＧ−Ｇ断面図である。図１３は図１２のベース部に取り付けられる開放ガイド３１を示すもので、（ａ）は底面図（図１２（ｃ）に対応する図）、（ｂ）は（ａ）を下面から見た図、（ｄ）は（ａ）の２倍に拡大した左側面図である。
メカニカルスプライス部７は、ベース部３０とこのベース部３０に被せられる蓋部３３と前記ベース部３０と蓋部３３とを弾性的にクランプするＣ形板バネとを備えるとともに、ベース部３０の蓋部３３との合わせ面１０ｃに、内蔵光ファイバ２と挿入光ファイバ６とを収容する調心溝３２ａ及び前記被覆付き光ファイバ５の部分を収容する被覆部収容溝３２ｂを一直線上に備えた構造である。また、被覆部収容溝３２ｂと調心溝３２ａとの間に、被覆除去部材２０を装着する凹所３０ａを設けている。３０ｂ（３０ｂ１、３０ｂ２、３０ｂ３、３０ｂ４）は、クサビ部材１５が差し込まれるクサビ差込部である。このクサビ差込部３０ｂの部分以外の部分はベース部３０の合せ面３０ｃより隆起した隆起部３０ｄとなっている。また、ベース部３０の合せ面３０ｃに、開放ガイド３１を斜めに移動させる作用をする斜め凸条３０ｅを設けている。
【００２３】
開放ガイド３１は、図１３に示すように、概ね長方形断面の角部に被覆付光ファイバ５を把持するための円弧部と直線部とを持つ切欠き３１ａを有し、また、ベース部３０の合せ面３０ｃの斜め凸条３０ｅに嵌合する斜め凹溝３１ｂを持つ。
図１４は  図１２（ａ）のメカニカルスプライス部７にフェルール部３を一体化したメカニカルスプライス部一体化フェルール部８のベース部３０に蓋３３、開放ガイド３１、被覆除去部材２０を装着した状態をクサビ部材１５ととも簡略化して示す図である。また、可動ガイド２１を２点鎖線で示す。
【００２４】
図１５（ａ）は図１２（ｄ）を拡大した図、（ｂ）は（ａ）に開放ガイド３１及び蓋部３３を装着した状態で示した図である。
一般的なメカニカルスプライス部一体化光コネクタにおけるメカニカルスプライス部は、概ね半円形断面のベース部と蓋部とを向かい合せＣ形板バネで弾性的にクランプする構造であるが、この実施例の光コネクタでは、内部で被覆付き光ファイバの被覆除去を行う被覆除去部（被覆除去部材２０の部分を指す）を設けることに伴い開放ガイド３１をベース部３０に設けることなどから、前記の通りベース部３０の合せ面３０ｃが平面でなく部分的に隆起部３０ｄを持つ形状としており、その他種々の点で工夫を施した構造となっている。
【００２５】
被覆除去部材２０は、図１６に示すように、例えば幅２ｍｍ、長さ３．３ｍｍ、厚さ１ｍｍなどの薄い直方体の前方寄りの位置に図示例では貫通の空所４０を形成し、この空所４０の前方側（フェルール７側（図１６（ｂ）で左側））の部分に裸ファイバを挿通させる０．１２６ｍｍφの裸ファイバ挿通孔４１、後方側に被覆付光ファイバ５を挿通させる被覆付光ファイバ挿通孔４２を設けるとともに、前記裸ファイバ挿通孔４１の後端側部分を空所４０において後方側に突出するような円錐体状にしたもので、この円錐体状部（部分を被覆除去作用部４３と呼ぶ）の先端部４３ａは、裸ファイバ挿通孔４１の内面に対して厚みが極めて薄くされて、円筒状刃となっている。
この被覆除去作用部４３の先端面部（すなわち円筒状刃）４３ａ分に、被覆付光ファイバ挿通孔４２を通した被覆付光ファイバ５を押し当てることで、被覆付光ファイバ５の被覆を裸ファイバから剥がすように除去する。
【００２６】
図１７は前記外被把持部材１１の蓋体を開いた状態の斜視図、図１８は外被把持部材１１の詳細を示すもので、（ａ）は平面図、（ｂ）は正面図、（ｃ）は左側面図、（ｄ）は右側面図、（ｅ）は（ｃ）で蓋を閉じた状態を示した図である。
この実施例の外被把持部材１１は、把持部材本体５１とこの把持部材本体５１にヒンジ部５２を介して開閉可能に取り付けられてた蓋体５３とを備え、前記把持部材本体５１の前方側の左右両側に、可動ガイド２１に係合させるための係合部５０ａを設けたアーム５０を設けている。
前記把持部材本体５１は光ケーブル４の外被部分を把持する外被把持部分５５と被覆付光ファイバ５の被覆部を把持する被覆把持部分５６とを一体に備え、また蓋体５３も光ケーブル４の外被部分を把持する外被把持部分５７と被覆付光ファイバ５の被覆部を把持する被覆把持部分５８とを一体に備えている。すなわち、光ケーブル４の外被部分と被覆付き光ファイバ５の被覆部分とが一体部材で把持される。
【００２７】
把持部材本体５１の外被把持部分５５は、実施例では概ね断面長方形の外被を持つドロップケーブルである光ケーブル４の外形に合せた深いコ字形枠部６１を有し、このコ字形枠部６１の左右側壁６２の内面に断面三角形の縦長の突起６２ａを設け、底部６３に小突起６３ａを設けている。
蓋体５３の外被把持部分５７は、把持部材本体５１のコ字形枠部６１に被せられる天井部６５と、コ字形枠部６１に設けた係止用突起６１ａに係止される係止孔６６ａを持つ係止部６６とからなり、直角状をなしている。
蓋体５３の前記天井部６５の内側面に円錐状突起６５ａを設けている。
【００２８】
把持部材本体５１側の被覆把持部分５６は、その上面５６ａに、被覆付光ファイバ５を収容する図示例ではＶ溝である位置決め溝６７ａを有するとともに、前記位置決め溝６７の外被把持部分５５側の部分に、外被把持部分５５側に向かってテーパ状に拡がるテーパ状溝６７ｂを有している。
また、把持部材本体５１側の被覆把持部分５６の位置決め溝６７ａの長さ方向中間位置に、溝幅方向に延びる隆起部６８を有し、この隆起部６８における位置決め溝の上端縁が、上面５６ａより高くなっている。
なお、把持部材本体５１側の被覆把持部分５６と蓋体５３側の被覆把持部分５８とは、蓋体５３を閉ざして重ね合わした状態では円錐体状をなしている。重ね合わされて円錐体状をなす被覆把持部分５６と被覆把持部分５８との全体を円錐体部６０と呼ぶ。
なお、被覆付光ファイバの被覆部分を把持する被覆把持部分５６、５８については、被覆付光ファイバのたわみや軸ずれを防止する作用をする程度に被覆付光ファイバ５を緩く保持するものでよい。
２９は前述した可動ガイド２１に設けた可動片２５を下降させる機能を持つツメである。
【００２９】
前述したロックレバー（ロック部材）３５について、図１９〜図２２を参照して説明する。
図１９は主としてロックレバー３５の形状を説明する図、図２０は外被把持部材１１で光ケーブル４の外被部分を把持して被覆付光ファイバ５を光コネクタ本体内に挿入する際に、外被把持部材１１を光コネクタ本体側の可動ガイド２１に装着する状況を説明する図、図２１は図２０（ｃ）を拡大した図、図２２は外被把持部材１１を前進させた際の外被把持部材１１の可動ガイド２１に対する動きを説明する図である。
ロックレバー３５は、図１９に示すように可動ガイド２１の被覆付光ファイバ誘導部２４の側面に形成した縦溝２４ｅに嵌合して被覆付光ファイバ誘導部２４に取り付けられる柱状の取付部３５ａの上部にロックレバー本体３５ｂを一体に設けた構成であり、前記ロックレバー本体３５ｂは、図２２に示すようにストップリング１０の片側の側壁１０ｄの内面に形成した段差部（係止部）１０ｇに係止可能なストッパ爪３５ｃを先端部に有し、根元部にロックレバー本体部３５ｃの曲げ変形を可能にする薄肉部３５ｄを設けた構成である。可動ガイド２１には薄肉部３５ｄで曲がったロックレバー３５との干渉を避けるための開口２１ｆを設けている。
このロックレバー３５は、後述するように、外被把持部材１１が前進してそのアーム５０の先端がロックレバー３５に当たるまでは、可動ガイド２１が前進しないようにロックしているが、アーム５０の先端が当たった時に、前記ロックレバー３５のストッパ爪３５ｃがストップリング１０の前記段差部１０ｇから外れて、可動ガイド２１に対するロックを解除し、可動ガイド２１を前進可能な状態にするという作用をする。
なお、実施例のロックレバー３５は、その基端部を制御部材である可動ガイド２１の側面に取り付けた構成としたが、基端部をストップリング１０側に取り付け、先端のストッパ爪が可動ガイド２１側に設けた係止部に係止される構造としてもよい。
また、実施例では制御部材（可動ガイド）の前進をロックするロック部材として、制御部材のスライド面と平行な棒状のロックレバー３５を用いたが、この構成に限らず、前進する光ファイバ把持部材（外被把持部材）のアームが当たって制御部材に対するロックを解除する構成であればよい。
【００３０】
上記のメカニカルスプライス型現場組立光コネクタ１を組み立てる際の作業手順及び動作について説明する。
（１）光ケーブル４の外被４ａを例えば５ｃｍなどの適宜の長さだけ削除して被覆付き光ファイバ５を露出させる。
（２）次いで、光ケーブル５の外被部分を、蓋体５３を開けた外被把持部材１１のコ字形枠部６１内に収容し、蓋体５３を閉じて光ケーブル４の外被を把持した後、被覆付き光ファイバ５を光ファイバ用カッターで正確に所定の長さで切断する。
（３）メカニカルスプライス部７のベース部３０にＣ形板バネで弾性的に装着されている蓋３３を、クサビ部材１５の差込片１５ａをメカニカルスプライス部７のクサビ差込部３０ｂに差し込んで開いておく。
（４）この段階で可動ガイド２１は、ロックレバー３５で位置決めされた所定の位置にセットされており、前に進まない状態になっている。すなわち、可動ガイド２１が図２０（ａ）や図２２（ａ）の状態にあり、可動ガイド２１に取り付けられているロックレバー３５の先端のストッパ爪３５ｃがストップリング１０の段差部１０ｇに係合しており、可動ガイド２１の移動をロックしているので、可動ガイド２１は前に進まない。
（５）外被把持部材１１で外被を把持された光ケーブル４の被覆付き光ファイバ５を可動ガイド２１内に通しメカニカルスプライス部７の被覆部収容溝３２ｂに挿入し、外被把持部材１１を前進させて被覆部収容溝３２ｂに沿って送り込む。その際、光コネクタ１の後端部に取り付けた押し込み補助治具１４に載せて外被把持部材１１を前進させる。
外被把持部材１１を前進させて被覆付光ファイバ５をメカニカルスプライス部７の被覆部収容溝３２ｂに沿って送り込む過程で、外被把持部材１１のアーム５０の先端の係合爪５０ａが図２２（ａ）のように、可動ガイド２１の前端面２１ｇに達する状態となる。
この場合、係合爪５０ａがテーパを有しているので、アーム５０が僅かに外側に開いて溝２４ｄに沿って前進するのであるが、その際、外被把持部材１１のアーム５０の先端が可動ガイド２１に当たって押し込み力を作用させ、この押し込み力で可動ガイド２１が前進してしまう場合がある。
可動ガイド２１は、設計上、外被把持部材１１と完全に係合した一体の状態で前進するように、すなわち外被把持部材１１のアーム５０の係合爪５０ａが可動ガイド２１の両側面の後部の被係合部（角部）２１ｅに係合した状態で前進するように設定されている。しかし、前記のように、  図２２（ａ）のように外被把持部材１１のアーム５０の先端が当たった状態で可動ガイド２１が前進してしまうと、可動ガイド２１が本来の作用を果たさない。
しかし、ロックレバー３５が可動ガイド２１の前進を止める作用をするので、可動ガイド２１がみだりに前進してしまうことはない。
（６）外被把持部材１１を、さらに前方に押し込むと、被覆付き光ファイバ５の先端面が被覆除去部材２０の被覆除去作用部４３の先端面部（円筒状刃）４３ａに当たり(この当たった時点をＡ時点と呼ぶ)、引き続き被覆付き光ファイバ５が押し込まれることで、被覆除去作用部４３の円筒状刃４３ａで被覆５ａが裸ファイバから剥がされつつ、露出した裸ファイバ６が裸ファイバ挿通孔４１を通過してメカニカルスプライス部７の裸ファイバ用の調心溝３２ａ内を前進する。この頃に（この前進の段階で）外被把持部材１１が可動ガイド２１に当たり(この当たった時点をＢ時点と呼ぶ)
、外被把持部材１１と可動ガイド２１とが一体となって動く。
なお、被覆５ａは、例えば円周方向の２、３箇所で光ファイバ長さ方向に裂けるなどして、裸ファイバ６から除去される。図１６（ｂ）に示すように、除去される被覆５ａ’は、被覆付き光ファイバ５の被覆５ａから取り去られるのでなく、根元の部分で被覆付き光ファイバ５の被覆５ａに繋がった状態で裸ファイバ６から剥される。
（７）なお、前記の外被把持部材１１を押し込む過程における前記Ａ時点（被覆付き光ファイバ５の先端面が被覆除去部材２０の被覆除去作用部４３の先端面４３ａに当たった時点）からＢ時点（外被把持部材１１が可動ガイド２１に当たった時点)の間に、外被把持部材１１のアーム５０の先端がロックレバー３５を押してロックレバー３５を可動ガイド２１の側面から離間させる動作があり、この動作で、可動ガイド２１の前進を規制していたロックレバー３５のロックが解除され、可動ガイド２１が前進できる状態となる。
すなわち、図２０（ｂ）や図２２（ａ）の状態から、外被把持部材１１がさらに前進すると、外被把持部材１１のアーム５０の係合爪５０ａが可動ガイド２１の側面の溝２１ｄに沿って進んで図２２（ｂ）のようにロックレバー３５に当たる。さらに前進すると、ロックレバー３５はアーム５０の先端部で押されて、薄肉部３５ｄにて内側に曲がるので、ストッパ爪３５ｃが段差部１０ｇから外れ、可動ガイド２１に対するロックが解除される（このロック解除のタイミングは概ね前記Ｂ時点である）。そして、ロック解除の直後には図２２（ｃ）のように、外被把持部材１１のアーム５０の係合爪５０ａが可動ガイド２１の側面に被係合部２１ｅに係合して、前記の通り外被把持部材１１と可動ガイド２１とが一体に前進するようになる。この時点（Ｂ時点）を可動ガイド２１が前進を開始する適切なタイミングと設定されていることで、可動ガイド２１は本来の機能を果たすことができる。
すなわち、被覆除去部に被覆付き光ファイバ５を押し当ててその被覆を除去する被覆除去中に、押し当て力で被覆付き光ファイバ５が座屈しない程度の隙間ｍ（狭い隙間）を確保することを制御する機能を適切に果たすことができる。
（８）外被把持部材１１をさらに前方に押し込むと、外被把持部材１１と一体に前進する可動ガイド２１の被覆付光ファイバ誘導部２４の垂直内壁２４ｃがメカニカルスプライス部７の開放ガイド３１の後端面に当たり（接触し）、開放ガイドが作動する状態となる。
（１０）外被把持部材１１をさらに前方に押し込むと、被覆付き光ファイバ５の被覆除去（剥がし）がさらに進行しつつ裸ファイバ（挿入光ファイバ）６がメカニカルスプライス部７の調心溝３２ａ内を前進して内蔵光ファイバ２に突き当たり、かつ（厳密には突き当たった次の瞬間に）所定の突き合わせ圧力が発生する。被覆除去時の押込み力は５Ｎ以下とする。
（１１）外被把持部材１１・可動ガイド２１をさらに押し込むと、可動ガイド２１で押された開放ガイド３１が、その斜め凹溝３１ｂが嵌合しているメカニカルスプライス部７のベース部３０の斜め凸条３０ｅに沿って斜めに前進して断面中心側から外方に離れることで、被覆付き光ファイバ５の把持が開放される。これにより、断面中心側から外方に移動した開放ガイド３１が存在していた空間の部分がたわみ空間となって、その空間において被覆付き光ファイバ５にたわみが生じる。すなわち、挿入ファイバ６の内蔵光ファイバ２に対する突き合わせ圧力が被覆付き光ファイバ５のたわみに変換される。このたわみで良好な光接続がなされる適性な突き合わせ圧力が確保される。
なお、上記の動作において、可動ガイド２１が開放ガイド３１を押すタイミングが早すぎると、挿入光ファイバが内蔵光ファイバに対して必要な突き合わせ圧力にて突き合わされる前に、開放ガイド３１が開放されてしまい、開放ガイド３１の存在していた空間の部分にたわみが発生して、それ以上挿入光ファイバが押し込まれない（したがって、必要な突き合わせ圧力が生じない）ことになる。前述した可動ガイドの機能、すなわち、押し当て力で被覆付き光ファイバ５が座屈しない程度の隙間ｍ（狭い隙間）を確保することを制御する機能とは、このような機能を指す。
（１２）この状態でクサビ部材１５を抜き取るとＣ形板バネの挟持力が作用し、メカニカルスプライス部７のベース部３０と蓋部３３とで内蔵光ファイバ２と裸ファイバである挿入光ファイバ６と被覆付き光ファイバ５とを把持する。
（１３）次いで、ストップリング１０に取り付けたレバー１２を、光ケーブル４の外被を把持している外被把持部材１１に被せるように倒して、外被把持部材１１が脱落しないように拘束する。
以上でメカニカルスプライス型現場組立光コネクタの組立が完了する。
【００３１】
上述の実施例では、光ファイバ把持部材が、被覆付光ファイバ５を直接把持する被覆付光ファイバ把持部材でなく、被覆付光ファイバ５を光ケーブル４の外被４ａを介して把持する外被把持部材であるが、本発明は、光ファイバ把持部材が、被覆付光ファイバ５を直接把持する被覆付光ファイバ把持部材である場合にも、適用することができる。
この場合は、例えば、上述した外被把持部材１１における外被把持部分（すなわち５５、５７で示す部分）が単なる被覆付光ファイバ挿通部である構造などとなる。
【符号の説明】
【００３２】
１  メカニカルスプライス型の現場組立光コネクタ（光コネクタ）
２  内蔵光ファイバ（裸ファイバ）
３  フェルール部
４  光ケーブル
４ａ  外被（外被部分）
５  被覆付光ファイバ
５ａ  被覆（被覆部分）
６  挿入光ファイバ（裸ファイバ）
７  メカニカルスプライス部
８  メカニカルスプライス部一体フェルール部
９  プラグフレーム
１０  ストップリング
１０ｄ  側壁
１０ｇ  段差部（係止部）
１１  外被把持部材（光ファイバ把持部材）
１２  レバー
１３  カバー
１４  押し込み補助治具
１５  クサビ部材
２０  被覆除去部材
２１  可動ガイド
２１ｄ  （アームの係合爪が通る）溝
２１ｅ  被係合部
２１ｆ  開口
２１ｇ  前端面
２２  筒状部
２４  被覆付光ファイバ誘導部
２４ａ  円錐状案内面
２４ｃ  垂直内壁
２４ｅ  縦溝
３０  ベース部
３３  蓋部
３２ａ  調心溝
３２ｂ  被覆部収容溝
３０ａ  （被覆除去部材を配置する）凹所
３０ｅ  斜め凸条
３１  開放ガイド
３１ａ  切欠き
３１ｂ  斜め凹溝
３５  ロックレバー
３５ａ  取付部
３５ｂ  ロックレバー本体
３５ｃ  ストッパ爪
３５ｄ  薄肉部
４０  空所
４１  裸ファイバ挿通孔
４２  被覆付光ファイバ挿通孔
４３  被覆除去作用部（円錐体状部）
５０  アーム
５１  把持部材本体
５２  ヒンジ部
５３  蓋体
６０    円錐体部（５６と５８を合せたもの）
【図１】
2013015748.tif 000003
【図２】
2013015748.tif 000004
【図３】
2013015748.tif 000005
【図４】
2013015748.tif 000006
【図５】
2013015748.tif 000007
【図６】
2013015748.tif 000008
【図７】
2013015748.tif 000009
【図８】
2013015748.tif 000010
【図９】
2013015748.tif 000011
【図１０】
2013015748.tif 000012
【図１１】
2013015748.tif 000013
【図１２】
2013015748.tif 000014
【図１３】
2013015748.tif 000015
【図１４】
2013015748.tif 000016
【図１５】
2013015748.tif 000017
【図１６】
2013015748.tif 000018
【図１７】
2013015748.tif 000019
【図１８】
2013015748.tif 000020
【図１９】
2013015748.tif 000021
【図２０】
2013015748.tif 000022
【図２１】
2013015748.tif 000023
【図２２】
2013015748.tif 000024